(57)【要約】  患者に在宅ケアを提供するシステム。システムは、患者に医療用流体を投与する投与動作を実行するようにプログラミング可能な医療用ポンプ装置１を備える。医療用ポンプ装置１は、医療用流体を投与する圧送機構１３と、プログラミング情報を記憶する記憶デバイス１２と、プログラミング情報に従って圧送機構１３の動作を制御するプロセッサデバイス１１と、医療用流体を含む流体容器４の識別マーク４０の識別情報を読み取るリーダーデバイス１０とを備える。通信デバイス２が、通信ネットワーク３を介して医療用ポンプ装置１と通信接続状態にある。ここで、通信デバイス２は、医療用ポンプ装置１に、特定の医療用流体に関連付けられたプログラミング情報を含む処方データセットを送信するように構成され、医療用ポンプ装置１は、上記処方データセットを受信し、処方データセットに含まれるプログラミング情報を上記記憶デバイス１２に記憶するように構成され、医療用ポンプ装置１のプロセッサデバイス１１は、リーダーデバイス１０によって読み取られた識別情報が特定の医療用流体に関連する場合に投与動作を実行するように、特定の医療用流体に関連付けられた記憶されたプログラミング情報を記憶デバイス１２からロードするように構成される。このようにして、容易かつ効率的であるが、一方で高信頼度の方法において、患者が、投与動作を実行するために医療用ポンプ装置をプログラミングすることを可能にする、患者に在宅ケアを提供するシステムが提案される。【選択図】図１
2020534601.tif 000002
【特許請求の範囲】
【請求項１】
患者に在宅ケアを提供するシステムであって、
患者に医療用流体を投与する投与動作を実行するようにプログラミング可能な医療用ポンプ装置（１）であって、該医療用ポンプ装置（１）は、前記医療用流体を投与する圧送機構（１３）と、プログラミング情報を記憶する記憶デバイス（１２）と、前記プログラミング情報に従って前記圧送機構（１３）の動作を制御するプロセッサデバイス（１１）と、医療用流体を含む流体容器（４）の識別マーク（４０）の識別情報を読み取るリーダーデバイス（１０）とを備える、医療用ポンプ装置と、
通信ネットワーク（３）を介して前記医療用ポンプ装置（１）と通信接続状態にある通信デバイス（２）と、
を備え、
前記通信デバイス（２）は、前記医療用ポンプ装置（１）に、特定の医療用流体に関連付けられたプログラミング情報を含む処方データセットを送信するように構成され、前記医療用ポンプ装置（１）は、前記処方データセットを受信し、該処方データセットに含まれる前記プログラミング情報を前記記憶デバイス（１２）に記憶するように構成され、前記医療用ポンプ装置（１）の前記プロセッサデバイス（１１）は、前記リーダーデバイス（１０）によって読み取られた識別情報が前記特定の医療用流体に関する場合に投与動作を実行するように、前記特定の医療用流体に関連付けられた前記記憶されたプログラミング情報を前記記憶デバイス（１２）からロードするように構成されることを特徴とする、システム。
【請求項２】
前記通信デバイス（２）は、プッシュメッセージにおいて前記医療用ポンプ装置（１）に前記処方データセットを送信するように構成されることを特徴とする、請求項１に記載のシステム。
【請求項３】
前記プログラミング情報は、送達モード、投薬速度、投与容量、及び最大投薬量に関する情報のうちの少なくとも１つを含むことを特徴とする、請求項１又は２に記載のシステム。
【請求項４】
前記識別マーク（４０）は、バーコード又はＲＦＩＤタグであることを特徴とする、請求項１〜３のいずれか１項に記載のシステム。
【請求項５】
前記プロセッサデバイス（１１）は、ユーザーによって確認されると、前記ロードされたプログラミング情報に従って、投与動作を開始するように構成されることを特徴とする、請求項１〜４のいずれか１項に記載のシステム。
【請求項６】
前記リーダーデバイス（１０）は、前記医療用ポンプ装置（１）のハウジング（１００）内に埋め込まれることを特徴とする、請求項１〜５のいずれか１項に記載のシステム。
【請求項７】
前記医療用ポンプ装置（１）は、前記通信デバイス（２）から遠隔位置に配置されることを特徴とする、請求項１〜６のいずれか１項に記載のシステム。
【請求項８】
患者に在宅ケアを提供する方法であって、
患者に医療用流体を投与する投与動作を実行するように医療用ポンプ装置（１）をプログラミングすることであって、該医療用ポンプ装置（１）は、前記医療用流体を投与する圧送機構（１３）と、プログラミング情報を記憶する記憶デバイス（１２）と、前記プログラミング情報に従って前記圧送機構（１３）の動作を制御するプロセッサデバイス（１１）とを備えること、
を含み、
通信ネットワーク（３）を介して前記医療用ポンプ装置（１）と通信接続状態にある通信デバイス（２）を用いて、前記医療用ポンプ装置（１）に、特定の医療用流体に関連付けられたプログラミング情報を含む処方データセットを送信することと、
前記医療用ポンプ装置（１）において、前記処方データセットを受信することと、
前記医療用ポンプ装置（１）において、前記処方データセットに含まれる前記プログラミング情報を前記記憶デバイス（１２）に記憶することと、
前記医療用ポンプ装置（１）のリーダーデバイス（１０）を用いて、流体容器（４）の識別マーク（４０）の識別情報を読み取ることと、
前記医療用ポンプ装置（１）の前記プロセッサデバイス（１１）によって、前記リーダーデバイス（１０）によって読み取られた前記識別情報が前記特定の医療用流体に関する場合に、前記特定の医療用流体に関連付けられた前記記憶されたプログラミング情報を前記記憶デバイス（１２）からロードすることと、
を特徴とする、方法。
【請求項９】
患者に在宅ケアを提供するシステムであって、
患者に医療用流体を投与する投与動作を実行するようにプログラミング可能な医療用ポンプ装置（１）であって、該医療用ポンプ装置（１）は、前記医療用流体を投与する圧送機構（１３）と、プログラミング情報に従って前記圧送機構（１３）の動作を制御するプロセッサデバイス（１１）と、医療用流体を含む流体容器（４）の識別マーク（４０）の識別情報を読み取るリーダーデバイス（１０）とを備える、医療用ポンプ装置、
を備え、
前記医療用ポンプ装置（１）の前記リーダーデバイス（１０）は、前記流体容器（４）の前記識別マーク（４０）から、前記流体容器（４）に収容される前記医療用流体に関連付けられたプログラミング情報を含む処方データセットに関する情報を読み取るように構成され、前記医療用ポンプ装置（１）の前記プロセッサデバイス（１１）は、投与動作を実行するように、前記医療用流体に関連付けられた前記プログラミング情報をロードするように構成されることを特徴とする、システム。
【発明の詳細な説明】
【技術分野】
【０００１】
本発明は、請求項１のプリアンブルによる患者に在宅ケアを提供するシステムと、患者に在宅ケアを提供する方法とに関する。
【０００２】
この種のシステムは、患者に医療用流体を投与する投与動作を実行するようにプログラミング可能な医療用ポンプ装置を備える。本明細書における医療用ポンプ装置は、医療用流体を投与する圧送機構と、プログラミング情報を記憶する記憶デバイスと、プログラミング情報に従って圧送機構の動作を制御するプロセッサデバイスと、医療用流体を含む流体容器の識別マークの識別情報を読み取るリーダーデバイスとを備える。
【背景技術】
【０００３】
一般に、患者に対するヘルスケアを、患者の自宅で提供することに対する要望が存在する。これは、患者にとっての快適性の向上を提供することに役立つことができ、患者が、潜在的には、通常の生活を営むことを可能にすることができる。
【０００４】
しかしながら、患者に自宅でのケアを提供することは、患者が、病院内に勤める又は個人開業の医師又は看護師等の医療従事者から遠く離れて生活する場合があるという難題を伴う。加えて、複数の患者が互いに離れて生活する場合があるので、例えば看護師による患者のチェックは、複数の患者を順に訪問するのに長い移動距離を要する場合がある。この理由のために、患者は、自身の医療用ポンプ装置を自律的に操作する必要がある場合がある。それゆえ、患者は、医療従事者から得た処方に従って自身で送達動作を設定及び開始しなければならない場合がある。しかしながら、これは、医療従事者による定期的な監督及びチェックの必要性を軽減するわけではない。なぜならば、患者が処方された治療に厳密に従わない場合又は適切な操作を欠いたために送達動作中の動作不良が生じた場合、これは、深刻な影響をもたらす場合があり、潜在的には、患者の再入院を必要とするためである。
【０００５】
在宅ケア患者は、例えば注入（infusions）又は栄養溶液（nutritional solution）を投与することによる経腸栄養を含む種々の治療を受ける場合がある。投与動作を実行するために、患者は、医療用ポンプ装置をプログラミングする必要がある場合があり、この医療用ポンプ装置のために、患者は、従来的には、投与すべき医療用流体を指定しなければならないとともに、加えて、投薬量、投薬速度及び送達モード（例えば連続投与、又は、時間変動投与スキーム、例えばランプアップ等を含む）等の特定の投与パラメーターを指定しなければならない。そのようなプログラミングは、患者にとっては難しく、かつ時間がかかる場合があり、加えて、間違いを生じやすい場合がある。
【０００６】
典型的に、患者は、自身がナース等の医療ケア提供者から受け取った処方情報に従って医療用ポンプ装置をプログラミングする必要があり、そのような処方情報は、投与すべき特定の医療用流体についての投薬量、投薬速度及び送達モードを指定する。容量注入ポンプ等の医療用ポンプ装置がいわゆる薬物ライブラリを含む場合、患者は、医療用ポンプ装置をプログラミングするとき、薬剤溶液又は経腸栄養溶液（enteral feeding solution）等の種々の所定の医療用流体から選択することができ、薬物ライブラリは、例えば、投薬速度等の投与パラメーターの限度値を指定する。それにもかかわらず、薬物ライブラリが医療用ポンプ装置上にインストールされている場合であっても、ユーザーは、医療用ポンプ装置をプログラミングするために、種々の医療用流体に関する多数の異なるエントリから選択しなければならず、これは、骨の折れる作業であり、潜在的に、間違いを生じやすい。
【０００７】
ユーザー、特に患者にとって、特に在宅ケア環境において、可能な限り容易な医療用ポンプ装置のプログラミングを作成することが必要とされている。さらに、投与される医療用溶液のトレーサビリティを改善するとともに、実際の投与動作が処方に準拠していることを保証することによって安全性を高めることが可能であることが望まれている。
【発明の概要】
【発明が解決しようとする課題】
【０００８】
本発明の目的は、容易かつ効率的であるが、一方で高信頼度の方法において、患者が、投与動作を実行するために医療用ポンプ装置をプログラミングすることを可能にする、患者に在宅ケアを提供するシステム及び方法を提供することである。
【課題を解決するための手段】
【０００９】
この目的は、請求項１の特徴を含むシステムを用いて達成される。
【００１０】
したがって、通信デバイスは、医療用ポンプ装置に、特定の医療用流体に関連付けられたプログラミング情報を含む処方データセットを送信するように構成され、医療用ポンプ装置は、上記処方データセットを受信し、この処方データセットに含まれるプログラミング情報を上記記憶デバイスに記憶するように構成される。医療用ポンプ装置のプロセッサデバイスは、リーダーデバイスによって読み取られた識別情報が特定の医療用流体に関する場合に投与動作を実行するように、特定の医療用流体に関連付けられた記憶されたプログラミング情報を記憶デバイスからロードするように構成される。
【００１１】
本発明は、ユーザー、特に患者が、投与動作を実行するために医療用ポンプ装置を容易にかつ効率的にプログラミングする能力を改善することに役立ち得る、ワークフローの変化を暗に意味する。さらに、医療用ポンプ装置のプログラミングにおけるエラーのリスクを低減するので、安全性の向上を達成することができる。
【００１２】
現在に至るまで、第１のステップにおいて、医療用ポンプ装置に取り付けられたリーダーデバイスを用いて医療用流体を含む流体容器の識別マークの識別情報を読み取ることによって、投与動作を実行することが潜在的な慣習であった。識別情報に従って、医療用流体は、医療用ポンプ装置に識別される。その後、識別情報は、従来的には、例えば、患者データ管理システム（ＰＤＭＳ：patient data management system）又は処方ソフトウェアに通信され、その後、患者データ管理システム又は処方ソフトウェアは、医療用ポンプ装置を遠隔でプログラミングする。ユーザーによるチェック及びプログラミングの確認が行われると、その後、投与動作が開始される。
【００１３】
この従来的な概念とは対照的に、提案されるシステムを用いて、プログラミング情報は、実行すべき実際の投与動作とは独立した処方データセットにおいて医療用ポンプ装置に送信される。処方データセットに含まれるプログラミング情報は、１つ又は複数の医療用流体に関連付けられ、このプログラミング情報は、医療用ポンプ装置において受信されると、医療用ポンプ装置の記憶デバイスに記憶される。本明細書において、１人又は複数人の患者に関する１つ又は複数の薬剤プロトコルに従う長期の治療過程（例えば数日）にわたって投与すべき１つ又は複数の医療用流体に関する１つ又は複数の処方データセットを医療用ポンプ装置に送信することができ、処方データセット（複数の場合もある）及びこの処方データセットに含まれるプログラミング情報は、１つ又は複数の医療用流体と関連付けられて医療用ポンプ装置の記憶デバイスに記憶される。
【００１４】
処方データセットは、例えば、特定の患者の治療のためのフル薬剤プロトコルを含むことができ、この薬剤プロトコルは、長期の治療持続時間にわたる、例えば数日にわたる患者の治療のための１つ又は複数の医療用流体の投与を規定する。
【００１５】
それゆえ、１つ又は複数の処方データセットを医療用ポンプ装置に送信することによって、医療用ポンプ装置に処方が記憶され、異なる処方は、薬剤又は経腸栄養溶液等の１つ又は複数の異なる医療用流体に関する。
【００１６】
実際の投与動作を開始するために、ユーザーは、医療用ポンプ装置のリーダーデバイスを用いて、投与すべき医療用流体を含む流体容器上の識別マークの識別情報を読み込ませる必要がある。識別情報を用いて、流体容器の医療用流体は、医療用ポンプ装置に識別され、この識別が行われると、医療用ポンプ装置のプロセッサデバイスは、識別情報によって識別されるとともに医療用ポンプ装置の記憶デバイスに記憶された特定の医療用流体に関連付けられた記憶されたプログラミング情報をロードする。記憶デバイスからプログラミング情報をロードすることによって、医療用ポンプ装置はプログラミングされ、そして、ユーザー、例えば患者によってプログラミング設定の確認が行われるとともに、流体容器を医療用ポンプ装置に接続すると、投与動作が開始される。
【００１７】
それゆえ、提案されるシステムに従って、１つ又は複数の医療用流体に関するプログラミング情報を含む処方データセットが医療用ポンプ装置に事前に送信され、処方データセットは、例えば、患者の長期治療のための薬剤プロトコルに関する。処方データセットが関連する特定の医療用流体に関する識別情報が医療用ポンプ装置のリーダーデバイスによって読み込まれ、それにより、医療用ポンプ装置が、流体容器に収容される医療用流体を認識し、医療用ポンプ装置に記憶されるとともに医療用流体に関連付けられたプログラミング情報を含む処方データセットに関連付ける場合、プロセッサデバイスは、医療用流体に関するプログラミング情報をロードし、このようにして医療用ポンプ装置をプログラミングする。それゆえ、プログラミングは、流体容器に収容される医療用流体の、事前に記憶された処方データセットとの関連付けを識別及び認識すると、（事前に医療用ポンプ装置において受信された）記憶されたプログラミング情報に従って自動的に行われる。
【００１８】
それゆえ、プログラミングは自動的に行われるので、エラーのリスクが低減するため、安全性が改善される。
【００１９】
さらに、ユーザー、例えば患者がしなければならないことは、医療用ポンプ装置のリーダーデバイスを用いて流体容器上の識別情報を読み込ませることだけであるので、プログラミングは、ユーザーにとって容易かつ効率的となる。それゆえ、ユーザーインタラクションの必要性が最小に抑えられ、特に、プログラミング情報の手動入力の必要性が軽減される。
【００２０】
更なる利点として、提案されるシステムを用いると、医療用ポンプ装置の接続性の要件が緩和される。詳細には、医療用ポンプ装置の接続性は、処方データセットの送信及び受信中にのみ必要とされ、これは、実際の投与動作とは独立している場合がある。実際の投与動作中、医療用ポンプ装置は、通信ネットワークに接続される必要はなく、オフラインで動作することができる。
【００２１】
１つの実施形態では、例えばサーバー等によって構成される通信デバイスは、プッシュメッセージにおいて医療用ポンプ装置に処方データセットを送信するように構成される。それゆえ、処方データセットは、処方データセットを医療用ポンプ装置にプッシュすることによって、医療用ポンプ装置に送信される。それゆえ、処方データセットは、医療用ポンプ装置が事前の要求メッセージによって送信を開始する必要なく、医療用ポンプ装置に単方向に送信される。
【００２２】
原理として、プログラミング情報は、患者の薬剤プロトコルのコンテキスト内で１つ又は複数の医療用流体の投与動作を実行するために、医療用ポンプ装置をプログラミングすることに関連する全ての情報を含むことができる。特に、プログラミング情報は、送達モード（例えば連続投与、又は、ランプアップ注入）、投薬速度、投与容量及び最大投薬量を含むことができ、投与動作に関連する他のパラメーターもプログラミング情報に含めることができる。処方データセット内のプログラミング情報は、１つ又は複数の医療用流体に関連し、リーダーデバイスを用いて、流体容器内の医療用流体のうちの１つが識別されると、識別された医療用流体との関連で用いられる。
【００２３】
流体容器上の識別マークは、例えば、バーコード又はＲＦＩＤタグとすることができる。したがって、リーダーデバイスは、バーコードリーダー又はＲＦＩＤリーダーデバイスとして構成される。識別マークにおいて、流体容器に収容される医療用流体に関する識別情報が符号化され、識別マークをスキャンする際、リーダーデバイスを用いて読み取ることができる。
【００２４】
加えて、識別マークは、医療用ポンプ装置のプログラミングに関する情報、例えば、投薬速度、投与容量又は最大投薬量等のプログラミング情報を符号化することも考えられる。
【００２５】
加えて又は代替的に、識別マークは、患者に関する情報、例えば、患者を識別する情報、及び／又は、患者の年齢、体重、性別等のデモグラフィック情報も符号化することができる。
【００２６】
提案される解決策内で、通信デバイスは、処方データセット（例えば、その過程で患者に１つ又は複数の医療用流体が投与される患者に対する治療を規定する薬剤プロトコルに関する）をポンプ装置に、好ましくはプッシュメッセージを用いて通信する。その場合、ポンプ装置のリーダーデバイスを用いて、識別マークに従った医療用流体が識別され、例えば加えて、識別マークに含まれる患者情報が読み込まれ、処方データセットに含まれるとともに、識別された医療用流体及び患者に関するプログラミング情報がポンプ装置にロードされ、それにより、実際の注入動作を開始することができる。
【００２７】
代替的に、サーバー等の通信デバイスからポンプ装置に事前に処方データセットを通信する代わりに、薬剤送達プロトコルに関する情報も、薬剤容器の識別マーク内に符号化することができ、それにより、識別マークをスキャンすることによって、そのような情報をポンプ装置に読み込ませることができ、ポンプをプログラミングするのに用いることができる。この代替的な解決策は、識別マークは、特定の患者のためにカスタマイズされることで、この患者に対する、薬剤容器に収容される薬剤の投与のための特定のプログラミング情報を含むことを暗に意味する。
【００２８】
提案されるシステムを用いて、注入デバイスのプログラミングは、プログラミング情報を入力するためのユーザーインタラクションを必要とすることなく、自動的に行うことができる。リーダーデバイスを用いて識別マークの識別情報を読み取ることによって医療用流体を識別すると、識別情報によって識別された医療用流体に関するプログラミング情報が自動的にロードされ、このようにして、医療用ポンプ装置はプログラミングされる。しかしながら、ユーザー、例えば患者によるプログラミング設定の確認が必要とされるものとすることができ、この確認が行われると、（流体容器が医療用ポンプ装置に接続されているならば）投与動作を開始することができる。
【００２９】
１つの実施形態では、リーダーデバイスは、医療用ポンプ装置と一体型とすることができる。特に、リーダーデバイスは、医療用ポンプ装置のハウジング内に統合することができ、それゆえ、医療用ポンプ装置に対する外部デバイスを表さない。リーダーデバイスは、例えば、バーコードをスキャンするのに適したカメラによって構成することができる。或いは、リーダーデバイスは、ＲＦＩＤタグに結合するアンテナを含むことができる。
【００３０】
医療用ポンプ装置は、在宅ケア使用に適したポータブルポンプとすることができる。
【００３１】
医療用ポンプ装置は、特に、通信デバイスから遠隔位置に配置することができる。特に、医療用ポンプ装置は、患者の自宅に配置することができ、それゆえ、病院内に勤める又は個人開業の医師又は看護師等の医療従事者から遠隔して配置することができる。
【００３２】
医療用ポンプ装置への接続を提供する１つの方法は、低電力ワイドエリアネットワーク接続を介したものである。低電力ワイドエリアネットワーク（略してＬＰＷＡＮ又はＬＰＮ）は、低エネルギーデバイス（例えばバッテリー駆動）をネットワークサーバーに接続するネットワークプロトコルの一クラスを指している。このプロトコルは、本事例では医療用ポンプ装置の低エネルギー消費での長距離通信を達成することができるように構成され、この通信は、医療用装置規制に準拠したセキュアなものである。
【００３３】
低電力ワイドエリアネットワークの適したネットワークアーキテクチャは、例えば、ＬｏＲａＷＡＮ（長距離ワイドエリアネットワーク（Long-Range Wide Area Network）の略称）であり、これは、ＬｏＲａアライアンスによって規定され、ＬｏＲａ変調を利用する産業標準規格である。ＬｏＲａＷＡＮは、双方向通信を可能にし、モノのインターネット（ＩｏＴ：Internet of Things）用に開発されてきた。ＬｏＲａＷＡＮは、欧州では約８６８ＭＨｚ、及び米国では約９１５ＭＨｚの周波数を使用し、長距離、例えば最大４０ｋｍの通信を可能にする。
【００３４】
原理的に、Ｓｙｍｐｈｏｎｙ  Ｌｉｎｋ、ＬＴＥ−Ｍ、狭帯域ＩｏＴ（ＮＢ−ＩｏＴ）、Ｗｅｉｇｈｔｌｅｓｓ−Ｎ、Ｗｅｉｇｈｔｌｅｓｓ−Ｐ、Ｗｅｉｇｈｔｌｅｓｓ−Ｗ、又はＷｉ−Ｆｉ  ＨａＬｏｗ等の他の通信プロトコルも用いることができ、これらも低電力ワイドエリアネットワークを代表する。
【００３５】
経腸栄養用のポンプ又は静脈内注入を提供する注入ポンプ等の医療用ポンプ装置は、長期期間、例えば（少なくとも）２４時間の間バッテリーで稼働することができることが望ましい。それゆえ、サーバーとのワイヤレス通信は、デバイスのバッテリーに対して大きな影響を有することなく低エネルギーで行なわれるべきである。この理由のために、医療用ポンプ装置とサーバーとの間の接続は、低電力ワイドエリアネットワーク接続を利用して医療用ポンプ装置とワイヤレスに通信する、基地局とも称されるゲートウェイを介して確立される。ＬｏＲａＷＡＮを用いて、アクティブ通信中のエネルギー消費は、例えば、約１０ｍＡとすることができ、アイドルモードでは、約１００ｎＡとすることができる。
【００３６】
低電力ワイドエリアネットワーク接続は、典型的には、かなりの低データレートでデータ通信を可能にする。例えば、ＬｏＲａＷＡＮ接続の場合、データレートは、０．３ｋｂｐｓ〜５０ｋｂｐｓとすることができる。これは、一般に、プログラミング情報を含む処方データセットを送信するために医療用ポンプ装置とゲートウェイとの間の情報を通信するのに十分とすることができる。
【００３７】
低電力ワイドエリアネットワーク接続の使用は利点を提供するものの、医療用ポンプ装置のための他のネットワーク接続、例えばインターネット等のパブリック通信ネットワークを介した接続が適用可能であり、医療用ポンプ装置の接続性を提供することができる。
【００３８】
加えて又は代替的に、医療用ポンプ装置は、特に、患者の薬剤プロトコルのコンテキストにおいて１つ又は複数の医療用流体に関する１つ又は複数の処方データセットを受信するために、通信デバイスと通信するために、ＧＳＭ技術、３Ｇ／４Ｇ／５Ｇ通信技術等を用いて通信する通信設備を備えることができる。
【００３９】
この目的はまた、患者に在宅ケアを提供する方法であって、
患者に医療用流体を投与する投与動作を実行するように医療用ポンプ装置をプログラミングすることであって、この医療用ポンプ装置は、医療用流体を投与する圧送機構と、プログラミング情報を記憶する記憶デバイスと、プログラミング情報に従って圧送機構の動作を制御するプロセッサデバイスとを備えることと、
通信ネットワークを介して医療用ポンプ装置と通信接続状態にある通信デバイスを用いて、医療用ポンプ装置に、特定の医療用流体に関連付けられたプログラミング情報を含む処方データセットを送信することと、
医療用ポンプ装置において、上記処方データセットを受信することと、
医療用ポンプ装置において、処方データセットに含まれるプログラミング情報を上記記憶デバイスに記憶することと、
医療用ポンプ装置のリーダーデバイスを用いて、流体容器の識別マークの識別情報を読み取ることと、
医療用ポンプ装置のプロセッサデバイスによって、リーダーデバイスによって読み取られた識別情報が特定の医療用流体に関する場合に、特定の医療用流体に関連付けられた記憶されたプログラミング情報を記憶デバイスからロードすることと、
を含む、方法を用いて達成される。
【００４０】
システムについて上記で記載された利点及び有利な実施形態は、方法にも等しく当てはまり、それにより、方法についての利点及び有利な実施形態は、上記を参照するものとする。
【００４１】
代替的な解決策によれば、患者に在宅ケアを提供するシステムが、患者に医療用流体を投与する投与動作を実行するようにプログラミング可能な医療用ポンプ装置を備え、この医療用ポンプ装置は、医療用流体を投与する圧送機構と、プログラミング情報に従って圧送機構の動作を制御するプロセッサデバイスと、医療用流体を含む流体容器の識別マークの識別情報を読み取るリーダーデバイスとを備える。ここで、医療用ポンプ装置のリーダーデバイスは、流体容器の識別マークから、流体容器に収容される医療用流体に関連付けられたプログラミング情報を含む処方データセットに関する情報を読み取るように構成され、医療用ポンプ装置のプロセッサデバイスは、投与動作を実行するように、医療用流体に関連付けられたプログラミング情報をロードするように構成される。
【００４２】
この代替的な解決策に従って、患者の薬剤送達プロトコルに関するプログラミング情報は、薬剤容器の識別マーク内に符号化され、識別マークをスキャンする際、リーダーデバイスを用いてポンプ装置に読み込まれる。識別マークから読み取られたプログラミング情報に従って、ポンプ装置は、薬剤容器に収容される薬剤の投与動作を実行するようにプログラミングされる。
【００４３】
これは、薬剤容器の識別マークは、患者及び投与すべき薬剤のためにカスタマイズされ、それにより、識別マークは、薬剤の投与のためのプログラミング情報を符号化することを暗に意味する。
【００４４】
以下、本発明の根底にある構想を、図面に示す実施形態に関してより詳細に記載する。
【図面の簡単な説明】
【００４５】
【図１】通信デバイスから送信された処方データセットを用いて自動的にプログラミング可能である医療用ポンプ装置を備えるシステムの概略図である。
【図２】医療用ポンプ装置を自動的にプログラミングするワークフローのフローチャートである。
【発明を実施するための形態】
【００４６】
図１は、患者に対する在宅ケアを提供するための、在宅ケア環境において用いられる医療用ポンプ装置１を備えるシステムの概略図を示している。医療用ポンプ装置１は、例えば、流体容器４から患者に向けて医療用流体を投与するために流体容器４を接続することができるポンプ機構１３（図１に単に概略的に示す）を備えるポータブルポンプとすることができる。
【００４７】
医療用ポンプ装置１を用いて、例えば、薬剤、又は栄養溶液等の経腸栄養溶液を患者に投与することができる。そのような薬剤は、例えば、在宅ケア環境において患者に鎮痛治療を提供するための鎮痛薬剤とすることができる。
【００４８】
医療用ポンプ装置１は、医療用流体容器４の、バーコード又はＲＦＩＤタグ等の識別マーク４０を読み取る、バーコードリーダー又はＲＦＩＤリーダーデバイス等のリーダーデバイス１０を更に備える。リーダーデバイス１０を用いて、医療用流体が医療用ポンプ装置１に識別されるように、医療用流体容器４に収容される医療用流体を識別する識別情報と、識別マーク４０に含まれる他の情報とを読み取ることができる。
【００４９】
加えて、医療用ポンプ装置１は、プロセッサデバイス１１と、記憶デバイス１２とを備える。
【００５０】
投与動作を実行するために、医療用ポンプ装置１は、投与すべき特定の医療流体のための投薬速度、投薬容量、及び投与モード等の、投与パラメーターを規定するようにプログラミングされる。医療用ポンプ装置１をプログラミングするとともに、適した輸液ライン４１を用いて医療用流体容器４を医療用ポンプ装置１に接続すると、例えばユーザーによる確認によって（例えば医療用ポンプ装置１上の専用ボタンを押下することによって）、投与動作を確立することができる。
【００５１】
この状況において、通信デバイス２、例えば医療用ポンプ装置１から遠隔のサーバーから、パブリック通信ネットワーク、例えばインターネット又は低電力ワイドエリアネットワーク等の通信ネットワーク３を介して確立される適切なネットワーク接続を介して、医療用ポンプ装置１にプログラミング情報を含む処方データセットを送信することによって、医療用ポンプ装置１を遠隔で自動的にプログラミングすることが提案される。
【００５２】
特に、図２のフロー図に示すようなワークフローが提案される。
【００５３】
ワークフロー内で、まず、例えば、医療ケア提供者が、通信デバイス２、例として通信ネットワーク３に接続されたサーバーに処方情報を入力することによって、通信デバイス２において処方データセットが生成される（図２のステップＳ１）。処方データセットは、患者に対する潜在的に長期の治療のために、１つ又は複数の医療用流体の投与のための薬剤プロトコルに関連するものとすることができ、それゆえ、患者の治療のためのフルプロトコルを規定することができる。
【００５４】
投与すべき１つ又は複数の医療用流体に関連付けられるとともに１つ又は複数の医療用流体に関連するプログラミング情報を含む処方データセットを生成すると、処方データセットは、通信接続３を介して確立された通信接続、特に医療用ポンプ装置１に向けた単方向送信におけるプッシュメッセージ（ステップＳ２）において医療用ポンプ装置１に送信される。処方データセットを含むプッシュメッセージを受信すると、医療用ポンプ装置１は、処方データセットに含まれるプログラミング情報を、医療用ポンプ装置１の記憶デバイス１２に記憶する（ステップＳ３）。
【００５５】
医療用ポンプ装置１が、例えば異なる薬剤プロトコルの状況において、患者に複数の異なる医療用流体を投与する処方を規定する複数の処方データセットを記憶することができるように、この種類の１つ又は複数の処方データセットを作成することができ、医療用ポンプ装置１にプッシュすることができる。処方データセットにおいて、特に、特定の医療用流体についての投薬容量、投薬速度及び投与モードの各場合に、特定の医療用流体に関するプログラミング情報が規定される。
【００５６】
処方データセットの生成及び送信は、実際の投与動作とは独立して行うことができる。処方データセットを含むプッシュメッセージは、例えば、医療用ポンプ装置１のアイドルモードにおいて、すなわち、投与動作が実行されない時間において、医療用ポンプ装置１に送信することができる。
【００５７】
実際の投与動作が実行される場合、ユーザー、例えば、患者は、リーダーデバイス１０を用いて、投与動作に用いられる流体容器４の識別マーク４０から識別情報を読み込むことができる（ステップＳ４）。このようにして、流体容器４に収容される医療用流体が識別され、医療用ポンプ装置１によって認識される（ステップＳ５）。特定の、認識された医療用流体に関する処方データセットが記憶デバイスに記憶される場合、その処方データセットに含まれるとともに、識別された医療用流体に関するプログラミング情報は、医療用ポンプ装置１をプログラミングするために、プロセッサデバイス１１によってロードされる（ステップＳ６）。それゆえ、識別マーク１４から識別情報を読み取るとともに、このようにして医療用ポンプ装置１に対して医療用流体を識別することによって、医療用ポンプ装置１の自動プログラミングが開始され、この自動プログラミングは、更なるユーザー入力を必要とすることなく、特に、医療用ポンプ装置１への追加データの入力を必要としない。
【００５８】
医療用流体容器４を医療用ポンプ装置１に接続するとともに自動ロードプログラミング設定を確認すると、その後、投与動作が開始される。
【００５９】
医療用ポンプ装置１と通信デバイス２との間のネットワーク接続は、１つ又は複数の処方データセットの送信中にのみ必要とされる。実際の投与動作中、医療用ポンプ装置１は、通信デバイス２に接続される必要はなく、オフラインで動作することができる。それゆえ、医療用ポンプ装置１の接続性の要件は、実質的に緩和され、特に、実際の投与動作を実行するのに接続性は必要とされない。
【００６０】
医療用ポンプ装置１は、例えば、患者の経腸栄養用のポンプ、又は、薬剤等の医療用流体の静脈内注入用の注入ポンプとすることができる。医療用ポンプ装置１は、例えば、患者の自宅に配置することができ、患者に在宅ケアを提供するように機能することができる。医療用ポンプ装置１を用いて、患者は、自律的に、送達動作を設定及び実行することができ、それゆえ、患者が、医師又は看護師等の医療従事者を必要とせずに自宅で自身を治療することが可能になる。
【００６１】
１つの実施形態では、医療用ポンプ装置１は、標準化ＬｏＲａプロトコルに従ったＬｏＲａＷＡＮ接続を介してネットワーク３のゲートウェイと通信することができる。ＬｏＲａＷＡＮは、ワイヤレス通信を対象とした、特に、バッテリー駆動の、それゆえ低エネルギー消費を有すべきであるデバイスを対象とした低電力ワイドエリアネットワーク（略してＬＰＷＡＮ又はＬＰＮ）である。ＬｏＲａＷＡＮは、双方向通信を可能にし、ローカライゼーションサービスも提供する。
【００６２】
ＬｏＲａＷＡＮは、典型的には、ゲートウェイが、医療用ポンプ装置１と中央サーバーとの間のデータ通信を中継する（透過）ブリッジとして機能するスターネットワークトポロジーを有する。ゲートウェイは、標準的なネットワーク接続、特に、ゲートウェイとサーバーとの間のＩＰ接続を提供するインターネット等のパブリック通信ネットワークを介してサーバーに接続される。ＬｏＲａＷＡＮは、０．３ｋｂｐｓ〜５０ｋｂｐｓの範囲内のデータレートを使用し、ここで、データレートは、医療用ポンプ装置１のバッテリー寿命と、ネットワーク全体の容量とを最大化する適応的データレート（ＡＤＲ：adaptive data rate）スキームを用いて管理することができる。
【００６３】
一方、低電力ワイドエリアネットワーク接続の代わりに、ＧＳＭ又は３Ｇ／４Ｇ／５Ｇモバイル通信技術等又はインターネット等のパブリック通信ネットワークを介した別のネットワーク技術に従った接続性も提供することができる。
【００６４】
言及したように、医療用ポンプ装置１のリーダーデバイス１０は、例えば、バーコードリーダー又はＲＦＩＤリーダーデバイスとすることができる。バーコードリーダーは、例えば、リーダーデバイス１０が医療用ポンプ装置１に完全に統合されるように、医療用ポンプ装置１のハウジング１００に統合されたカメラを用いることができる。ＲＦＩＤリーダーは、例えば、ＲＦＩＤタグに結合するための磁気ループアンテナ等のアンテナを用いることができ、アンテナは、ハウジング１００に統合される。
【００６５】
代替的な解決策では、患者に薬剤を投与する薬剤プロトコルに関するプログラミング情報は、医療用ポンプ装置１のプログラミングを、容器４の識別マーク４０から読み込まれたプログラミング情報に基づいて行うことができるように、容器４の識別マーク４０から直接読み取ることもできる。この事例では、通信デバイス２から処方データセットが事前に送信される必要はないものとすることができる。
【００６６】
これらの２つの手法は、組み合わせ可能でもあり、それにより、医療用ポンプ装置１のプログラミングを、通信デバイス２から受信された処方データセットに含まれるプログラミング情報に基づいて行うことができ、加えて、容器４の識別マーク４０に符号化されるとともに、リーダーデバイス１０によってスキャンされると識別マーク４０から読み込まれるプログラミング情報に従って行うことができるようになっている。
【００６７】
本発明の根底にある思想は、上記で記載された実施形態に限定されない。
【００６８】
医療用ポンプ装置は、例えば、容量ポンプ装置又はシリンジポンプ装置によって、異なる方式で構成することができる。容量ポンプを用いることによって、医療用流体は、フレキシブルバッグ等の流体容器から送達される。シリンジポンプを用いて、医療用流体は、シリンジのバレルの形状の流体容器から送達される。
【００６９】
特定の医療用流体に関するプログラミング情報を含む処方データセットを医療用ポンプ装置に事前に送信することによって、ユーザーインタラクションが最小になる注入ポンプの容易な自動プログラミングが可能になる。これは、特に在宅ケア環境において、プログラミングにおける誤差を低減し、それゆえ、投与動作を実行するための安全性を改善することに役立つ。
【符号の説明】
【００７０】
１  医療用ポンプ装置
１０  リーダーデバイス
１００  ハウジング
１１  プロセッサデバイス
１２  記憶デバイス
１３  圧送機構
２  通信デバイス
３  通信ネットワーク
４  流体容器
４０  識別マーク（バーコード、ＲＦＩＤタグ）
４１  投与ライン
Ｓ１〜Ｓ６  ステップ
【図１】
2020534601.tif 000003
【図２】
2020534601.tif 000004
【国際調査報告】
2020534601.tif 000005
2020534601.tif 000006